(57)【要約】      （修正有）【課題】小さな曲げ半径で曲げ加工しても精度よくコイルを成形することができる集合導線を提供する。【解決手段】矩形断面の導体素線が互いに平行に複数本集合配置され、一体化した集合導線５０であって、セグメントコイル２０を形成するための曲げ部２２の端の位置２１ａから２１ｋで導体素線同士を溶接する。コイルの製造方法は、矩形断面の導体素線を互いに平行に複数本集合配置し、一体化した集合導線５０とするステップと、コイルを形成するための曲げ部端で導体素線５０同士を溶接するステップと、コイルの形状に曲げ加工するステップと、を含む。【選択図】図５
2013236523.tif 000002
【特許請求の範囲】
【請求項１】
矩形断面の導体素線が互いに平行に複数本集合配置され、一体化した集合導線であって、
コイルを形成するための曲げ部端で導体素線同士が溶接されていること、
を特徴とする集合導線。
【請求項２】
請求項１に記載の集合導線であって、
溶接は、集合導線外周の全周溶接であること、
を特徴とする集合導線。
【請求項３】
請求項１に記載の集合導線であって、
集合導線は、矩形断面となるように各導体素線が一体化されており、
溶接は、各導体素線の接する面同士を各導体素線の長手方向と交差する一方向に向かって溶接する一方向溶接であること、
を特徴とする集合導線。
【請求項４】
請求項３に記載の集合導線であって、
溶接は、集合導線の矩形断面の長辺方向又は短辺方向に向かう一方向溶接であること、
を特徴とする集合導線。
【請求項５】
請求項１から４のいずれか１項に記載の集合導線であって、
曲げ部は、コイルエンドを形成するために構成された曲げ部であること、
を特徴とする集合導線。
【請求項６】
矩形断面の導体素線が互いに平行に複数本集合配置され、一体化した集合導線を曲げ加工したコイルであって、
集合導線は、コイルを形成するための曲げ部端で導体素線同士が溶接されていること、
を特徴とするコイル。
【請求項７】
請求項６に記載のコイルであって、
溶接は、集合導線外周の全周溶接であること、
を特徴とするコイル。
【請求項８】
請求項６に記載のコイルであって、
集合導線は、矩形断面となるように各導体素線が一体化されており、
溶接は、各導体素線の接する面同士を各導体素線の長手方向と交差する一方向に向かって溶接する一方向溶接であること、
を特徴とするコイル。
【請求項９】
請求項８に記載のコイルであって、
溶接は、集合導線の矩形断面の長辺方向又は短辺方向に向かう一方向溶接であること、
を特徴とするコイル。
【請求項１０】
請求項６から９のいずれか１項に記載のコイルであって、
曲げ部は、コイルエンドを形成するために構成された曲げ部であること、
を特徴とするコイル。
【請求項１１】
コイルの製造方法であって、
矩形断面の導体素線を互いに平行に複数本集合配置し、一体化した集合導線とするステップと、
コイルを形成するための曲げ部端で導体素線同士を溶接するステップと、
コイルの形状に曲げ加工するステップと、
を含むことを特徴とするコイルの製造方法。
【請求項１２】
請求項１１に記載のコイルの製造方法であって、
溶接するステップは、集合導線外周を全周溶接すること、
を特徴とするコイルの製造方法。
【請求項１３】
請求項１１に記載のコイルの製造方法であって、
集合導線とするステップは、矩形断面となるように各導体素線を一体化し、
溶接するステップは、各導体素線の接する面同士を各導体素線の長手方向と交差する一方向に向かって一方向溶接を行うこと、
を特徴とするコイルの製造方法。
【請求項１４】
請求項１３に記載のコイルの製造方法であって、
溶接するステップは、集合導線の矩形断面の長辺方向又は短辺方向に向かう一方向溶接を行うこと、
を特徴とするコイルの製造方法。
【請求項１５】
請求項１１から１４のいずれか１項に記載のコイルの製造方法であって、
曲げ部は、コイルエンドを形成するために構成された曲げ部であること、
を特徴とするコイルの製造方法。
【請求項１６】
請求項１１に記載のコイルの製造方法であって、
コイルの形状に曲げ加工するステップは、コイルを略Ｕ字型に曲げ加工するステップであり、
コイルを曲げ加工した後、直線部分をステータコアのスロットに挿入するステップと、
その後、ステータコアの端面から突出する部分を曲げ加工するステップと、
を含むコイルの製造方法であって、
溶接するステップは、更に、ステータコア側から曲げ部を挟んで反対側の曲げ部端の溶接を含むこと、
を特徴とするコイルの製造方法。
【発明の詳細な説明】
【技術分野】
【０００１】
本発明は、集合導線の構造および集合導線を加工したコイルの構造ならびにコイルの製造方法に関する。
【背景技術】
【０００２】
近年、ハイブリッド車両、電気自動車等のモータによって駆動される車両が多用されるようになってきている。これら電動車両に搭載されるモータは、小型、高出力が要求されるので、ロータに永久磁石を埋め込んだ埋込構造永久磁石同期モータ（ＩＰＭＳＭ）が多く用いられている。埋込構造永久磁石同期モータ（ＩＰＭＳＭ）のステータコアには、その内周壁に周方向に交互に形成された凹条部（スロット）及び凸条部が複数設けられている。そして、各スロットには、コイルを構成するエナメル線等の導体線が配置される。スロットは四角い断面であることから、円形断面の導体線をスロットに配置した場合には、スロットと導体線との間に隙間ができるため、スロットの導体線の充填率が低くなってしまい、モータの外形の大きさに対する出力が小さくなってしまうという問題があった。
【０００３】
また、近年、ハイブリッド車等の電気自動車用のモータは、インバータで発生させた
高周波の交流によって駆動することが多いので、表皮効果によってスロットと導体線との間に隙間ができると導体線に流れる電流が導体素線の表面付近に集中して交流抵抗が大きくなってしまうという問題があった。
【０００４】
そこで、スロットの内部における導体線の充填率、すなわち、スロットの所定断面積に占める導体の断面積（導体占積率）を高めると共に、表皮効果及び渦電流による交流抵抗を低くするために、矩形断面の素線を全体断面形状が矩形となるように複数本集合した集合導線を用いることが提案されている（例えば、特許文献１参照）。特許文献１には、矩形断面の素線表面に酸化被膜等の被覆層を形成し、この被覆層の間に結着層（接着層）を設けることによって複数の矩形断面の素線を接着して全体として矩形断面の集合導線とすることが記載されている。
【０００５】
また、被覆層の表面に熱融着層（絶縁層）を形成し、複数の素線を全体で矩形断面となるように複数本無捩じり状態に整列させ、２００℃程度に加熱することで隣り合った素線の熱融着層を相互に融着一体させて集合導線とし、その外側にＰＴＦＥ製のチューブを被せ、３３０℃〜３４０℃に加熱することによってチューブを熱収縮させて外周被覆層を形成した集合導線が提案されている（例えば、特許文献２参照）。特許文献２に記載された集合導線は、外周被覆層を摩擦抵抗の小さい材料で構成することにより、ステータコアのスロットに集合導線を挿入する際の損傷を抑制することができる。
【先行技術文献】
【特許文献】
【０００６】
【特許文献１】特開２００７−２２７２６６号公報
【特許文献２】特開２００８−１９３８６０号公報
【発明の概要】
【発明が解決しようとする課題】
【０００７】
ところで、電動車両のモータを小型化する場合には、コイルエンドの大きさを小さくすることが大きな要因となってくる。コイルエンドを小型化するためには、導体線がステータコアのスロットから端面に出た部分で小さな曲げ半径で導体線を曲げ、コイルエンドのステータコアの端面からの突出量を小さくすることが必要となる。
【０００８】
ところが、特許文献１，２に記載されたように、素線同士を接着によって一体化した集合導線は、小さな曲げ半径で曲げ加工した際に曲げの外周側と内周側との曲げ半径の差或いは曲がり部分の長さの差により各素線間に大きなせん断力が働き、このせん断力により素線間の接着材が剥がれてしまい、小さな曲げ半径でコイルを精度よく成形することができないという問題があった。
【０００９】
そこで、本発明は、小さな曲げ半径で曲げ加工しても精度よくコイルを成形することができる集合導線を提供することを目的とする。
【課題を解決するための手段】
【００１０】
本発明の集合導線は、矩形断面の導体素線が互いに平行に複数本集合配置され、一体化した集合導線であって、コイルを形成するための曲げ部端で導体素線同士が溶接されていること、を特徴とする。
【００１１】
本発明の集合導線において、溶接は、集合導線外周の全周溶接であること、としても好適であるし、集合導線は、矩形断面となるように各導体素線が一体化されており、溶接は、各導体素線の接する面同士を各導体素線の長手方向と交差する一方向に向かって溶接する一方向溶接であること、としても好適であるし、溶接は、集合導線の矩形断面の長辺方向又は短辺方向に向かう一方向溶接であること、としても好適であるし、曲げ部は、コイルエンドを形成するために構成された曲げ部であること、としても好適である。
【００１２】
本発明のコイルは、矩形断面の導体素線が互いに平行に複数本集合配置され、一体化した集合導線を曲げ加工したコイルであって、集合導線は、コイルを形成するための曲げ部端で導体素線同士が溶接されていること、を特徴とする。
【００１３】
本発明のコイルであって、溶接は、集合導線外周の全周溶接であること、としても好適であるし、集合導線は、矩形断面となるように各導体素線が一体化されており、溶接は、各導体素線の接する面同士を各導体素線の長手方向と交差する一方向に向かって溶接する一方向溶接であること、としても好適であるし、溶接は、集合導線の矩形断面の長辺方向又は短辺方向に向かう一方向溶接であること、としても好適であるし、曲げ部は、コイルエンドを形成するために構成された曲げ部であること、としても好適である。
【００１４】
本発明のコイルの製造方法は、矩形断面の導体素線を互いに平行に複数本集合配置し、一体化した集合導線とするステップと、コイルを形成するための曲げ部端で導体素線同士を溶接するステップと、コイルの形状に曲げ加工するステップと、を含むことを特徴とする。
【００１５】
本発明のコイルの製造方法において、溶接するステップは、集合導線外周を全周溶接すること、としても好適であるし、集合導線とするステップは、矩形断面となるように各導体素線を一体化し、溶接するステップは、各導体素線の接する面同士を各導体素線の長手方向と交差する一方向に向かって一方向溶接を行うこと、としても好適であるし、溶接するステップは、集合導線の矩形断面の長辺方向又は短辺方向に向かう一方向溶接を行うこと、としても好適であるし、曲げ部は、コイルエンドを形成するために構成された曲げ部であること、としても好適であるし、コイルの形状に曲げ加工するステップは、コイルを略Ｕ字型に曲げ加工するステップであり、コイルを曲げ加工した後、直線部分をステータコアのスロットに挿入するステップと、その後、ステータコアの端面から突出する部分を曲げ加工するステップと、を含むコイルの製造方法であって、溶接するステップは、更に、ステータコア側から曲げ部を挟んで反対側の曲げ部端の溶接を含むこと、としても好適である。
【発明の効果】
【００１６】
本発明は、小さな曲げ半径で曲げ加工しても精度よくコイルを成形することができる集合導線を提供することができるという効果を奏する。
【図面の簡単な説明】
【００１７】
【図１】本発明の実施形態における集合導線或いはコイルを組み込んだステータの平面図である。
【図２】本発明の実施形態における集合導線或いはコイルを組み込んだステータの側面図である。
【図３】本発明の実施形態における集合導線の製造工程を示す説明図である。
【図４】本発明の実施形態における集合導線の溶接を示す説明図である。
【図５】本発明の実施形態における集合導線をセグメントコイルに曲げ加工する工程を示す説明図である。
【図６】図５に示すＡ部の拡大図である。
【図７】図６に示すＢ−Ｂ断面図である。
【図８】本発明の他の実施形態における集合導線の製造工程を示す説明図である。
【図９】本発明の他の実施形態における集合導線の溶接を示す説明図である。
【図１０】本発明の他の実施形態における集合導線の製造工程を示す説明図である。
【図１１】本発明の他の実施形態における集合導線の溶接を示す説明図である。
【発明を実施するための形態】
【００１８】
以下、図面を参照しながら本発明の実施形態について説明する。本発明の集合導線、コイル、について説明する前に、本発明の実施形態の集合導線或いはコイルを組み込んだステータについて説明する。
【００１９】
図１に示すように、モータ１００のステータ１０は、薄い電磁鋼板を積層したステータコア１１と、ステータコア１１のその内周壁１５に形成されたスロット１２と、各スロット１２の間のティース１３とが周方向に向かって交互に複数設けられている。そして、各スロット１２には、ステータコイルを構成する四角断面の複数のセグメントコイル２０が一列に整列して配置されている。
【００２０】
図２に示すように各セグメントコイル２０は、略Ｕ字型に折り曲げ成形された後、Ｕ字型の開放端側からステータコア１１の厚さ方向（モータの軸方向）に向かってスロット１２に挿入される。図２に示した実施形態では、略Ｕ字型のセグメントコイル２０は、図２の下側に図中の矢印６０で示すように上方向に向かって挿入される。後で説明するように、セグメントコイル２０は、矩形断面の導体素線を一体化した集合導線であって、各導体素線同士の面は接着剤５３によって接着されると共に、図２に符号２１ａから２１ｋで示す部位にて各導体素線が互いに剥がれないように、溶接接続されている。
【００２１】
図２に示すように、スロット１２に挿入されたセグメントコイル２０のステータコア１１の端面からモータの軸方向（図２の矢印６０の方向）に突出した直線状の部分は、図２に一点鎖線で示されるような形状に曲げ成形された後、隣接する各セグメントコイル２０の各先端が互いに溶接固定されてコイルエンドを形成する。
【００２２】
以上のように、ステータ１０へのセグメントコイル２０の取り付け、コイルエンドの成形が行われるので、ステータ１０の軸方向（図２の矢印６０の方向）の高さ寸法を小さくする場合には、セグメントコイル２０の下部の曲げ部２２或いは、セグメントコイル２０をスロット１２に挿入した後に曲げ加工する上側の曲げ部３２の曲げ半径を小さくすることが必要となってくる。次に、曲げ部２２，３２を小さな曲げ半径で加工しても精度よくコイルの成形を行うことができる本発明の集合導線について図３から図７を参照して説明する。
【００２３】
図３は、複数の四角断面の銅素線５１を集合して一体化して集合導線５０とする工程を示している。まず、図３（ａ）に示すように、四角断面の銅素線５１を準備し、図３（ｂ）に示すように、この銅素線５１の外表面に絶縁皮膜５２を形成する。絶縁皮膜５２は、銅素線５１よりも電気抵抗の高いものであればよく、酸化銅がよく用いられる。酸化銅を絶縁皮膜５２として用いる場合には、銅素線５１の表面を単に酸化させるか、空気中に保管し、四角断面の銅素線５１の表面に酸化銅の絶縁皮膜５２が形成された状態の銅素線５１を用いる。以後の説明では、表面に絶縁皮膜５２を有する銅素線５１を「導体素線」と定義し、符号２５ａから２５ｄ，２６ａから２６ｄによって表すこととする。
【００２４】
図３（ｃ）に示すように、酸化銅の絶縁皮膜５２の外面（導体素線２５ａ〜２５ｄ，２６ａ〜２６ｄの外面）に接着剤５３を塗布或いは、結着層５３を形成する。そして、外面に接着剤５３或いは、結着層５３を成形した８本の導体素線２５ａ〜２５ｄ，２６ａ〜２６ｄを図３（ｄ）に示すように、４本ずつ２段に束ねて、長方形断面に一体化する。各導体素線２５ａ〜２５ｄ，２６ａ〜２６ｄの整列は、例えば、長方形の断面開口を備えるダイス等の中に８本の導体素線２５ａ〜２５ｄ，２６ａ〜２６ｄを揃えて通すことによって導体素線２５ａ〜２５ｄ，２６ａ〜２６ｄの表面同士を互いに密着させることによって行う。また、各２５ａ〜２５ｄ，２６ａ〜２６ｄの接着は一体にした集合導線５０を加熱することによって、各導体素線２５ａ〜２５ｄ，２６ａ〜２６ｄの表面の接着剤５３或いは結着剤５３を熱硬化させて８本の導体素線を図３（ｃ）に示すような長方形の形状に一体化することとしてもよい。
【００２５】
図３（ｃ）までの加工工程によって、図４に示すように、８本の導体素線２５ａ〜２５ｄ，２６ａ〜２６ｄが互いに接着剤５３或いは結着剤５３によって結合し、長方形の断面となった直線状の集合導線５０が形成される。そして、次に図４に示すように、各導体素線２５ａ〜２５ｄ，２６ａ〜２６ｄが互いに剥がれないように、特定の部位をスポット溶接する。スポット溶接５４は、レーザ溶接、抵抗溶接などで、図４に示すように、各導体素線２５ａ〜２５ｄ，２６ａ〜２６ｄの接する面同士を各導体素線の長手方向と交差する一方向に向かって溶接する一方向溶接である。より具体的には、スポット溶接５４は、一列に並んだ各導体素線２５ａ〜２５ｄと一列に並んだ各導体素線２６ａ〜２６ｄとのあわせ面を集合導線５０の矩形断面の長辺方向に向かって（図４では上方向から下方向に向かって）溶接する一方向溶接となっている。図３（ｅ）に示すように、このスポット溶接５４は、一回の溶接で各導体素線２５ａ〜２５ｄ，２６ａ〜２６ｄ全てを一体に溶接固定することができる。このようにして、集合導線５０の図５に示す２１ａから２１ｋの部位にスポット溶接５４を行う。そして、スポット溶接５４の終わった後、図３（ｆ）に示すように、集合導線５０の表面に電着によって樹脂層５５を形成する。樹脂層５５は、集合導線５０の表面の摩擦係数を低減してスロット１２への挿入を容易にするとともに、製造中、加工中の導体素線２５ａ〜２５ｄ，２６ａ〜２６ｄの剥がれを抑制する。
【００２６】
図５に示す集合導線５０は、曲げ加工を行う前の直線形状となっている。先に述べたように、図５の符号２１ａ〜２１ｋは図４を参照して説明したスポット溶接５４を行う位置を示している。
【００２７】
図５の位置２１ｄ、２１ｅは、図５のＡ部の拡大図である図６に示すように、その間に曲げ加工用の治具７０（丸棒）を当てて、略９０度に角度の集合導線５０を曲げ加工してセグメントコイル２０への成形を行う曲げ部２２を含んでいる。図６に示すように、曲げ部２２の端の位置２１ｄと曲げ部２２の反対側の端の位置２１ｅとは図３（ｅ）、図４を参照して説明したように、各導体素線２５ａ〜２５ｄ，２６ａ〜２６ｄが溶接固定されている部位である。この曲げ部２２を図６に示すように、小さな曲げ半径で曲げ加工すると、図７に示すように、曲げ部２２の内周側（治具７０の中心線７１側）の導体素線２５ａ，２５ｂ，２６ａ，２６ｂは曲げ加工により加わる圧縮力によって図７に示す距離ｄだけ外側に膨らむように変形し、逆に曲げ部２２の外周側の導体素線２５ｃ，２５ｄ，２６ｃ，２６ｄは曲げ加工により加わる引っ張り力で厚さが薄くなるように変形する。このように、曲げ部２２の両端の位置２１ｃ，２１ｄで各導体素線２５ａ，２５ｂ，２６ａ，２６ｂがスポット溶接５４によって固定されているので、曲げ加工の際の内周側の導体素線２５ａ，２５ｂ，２６ａ，２６ｂと外周側の導体素線２５ｃ，２５ｄ，２６ｃ，２６ｄの各断面形状が変形することによって曲げ変形のエネルギあるいは力を吸収し、各導体素線２５ａ〜２５ｄ，２６ａ〜２６ｄの間に働くせん断力が小さくなる。このため、小さな曲げ半径で一体化した集合導線５０を曲げ加工した場合でも、各導体素線２５ａ〜２５ｄ，２６ａ〜２６ｄが互いに剥がれず、セグメントコイル２０を精度よく曲げ加工することができるという効果を奏する。以上説明したように、本実施形態では、図５に示す位置２１ｄ，２１ｅあるいは、２１ｆ，２１ｇのように、集合導線５０をセグメントコイル２０に曲げ加工する際の曲げ部２２の両端部にスポット溶接５４を行っている。また、セグメントコイル２０とする場合の曲げ加工角度があまり大きくない場合には、たとえば、位置２１ｋのように曲げ部２２の一方の端部のみにスポット溶接５４を行って曲げ加工の際に各導体素線２５ａ〜２５ｄ，２６ａ〜２６ｄが互いに剥がれることを抑制することができる。
【００２８】
図５に示すように、集合導線５０の位置２１ａ，２１ｂ，２１ｃにもスポット溶接５４が行われる。位置２１ａ，２１ｂは、図２に示すように、スロット１２にＵ字型に成形したセグメントコイル２０を挿入した後に曲げ加工を行う曲げ部３２の両端の位置である。また、位置２１ｃは、ステータコア１１の表面から曲げ部３２を挟んで反対側の曲げ部端に相当する位置となっている。セグメントコイル２０の曲げ加工を行う場合、スロット１２に差し込まれている部分は、スロット１２によって固定されているのでスポット溶接５４の必要がないので、曲げ部３２のスロット１２側の端部にはスポット溶接は行われていない。図５に示した位置２１ｊ，２１ｉ，２１ｈについては、先に説明した位置２１ａ，２１ｂ，２１ｃと同様である。
【００２９】
以上説明したように、直線状の集合導線５０をセグメントコイル２０に曲げ加工する際の曲げ部２２の端となる位置、あるいは、スロット１２にセグメントコイル２０を挿入した後に曲げ加工する際の曲げ部３２の端となる位置にスポット溶接５４を行うことによって、セグメントコイル２０の精度のよい成形およびコイルエンドの精度のよい成形を行うことができる。また、集合導線５０の外面に樹脂層５５を形成することによって、加工後のハンドリングの際に集合導線５０の各導体素線が互いに剥がれることを効果的に抑制することができるという効果を奏する。
【００３０】
次に、図８、図９を参照して本発明の他の実施形態について説明する。先に図１から図７を参照して説明した部分と同様の部分には同様の符号を付して説明は省略する。先に説明した実施形態では、各導体素線２５ａ〜２５ｄ，２６ａ〜２６ｄの溶接は、図４に示すような一方向のスポット溶接５４とすることとして説明したが、溶接の方法はこれに限らず、図８、図９に示すように集合導線５０の外周の全周を溶接する全周溶接であってもよい。図８に示す全周溶接５６は、８本の各導体素線２５ａ〜２５ｄ，２６ａ〜２６ｄが一体化された長方形断面の外周を溶接するようにしたもので、その断面は図９（ａ）に示すように、８本の各導体素線２５ａ〜２５ｄ，２６ａ〜２６ｄの外表面部分を周状に溶接したものであり、その効果は、先に図４を参照して説明したスポット溶接５４と同様である。全周溶接５６は、先に図５を参照して説明したように、直線状の集合導線５０をセグメントコイル２０に曲げ加工する際の曲げ部２２の端となる位置、あるいは、スロット１２にセグメントコイル２０を挿入した後に曲げ加工する際の曲げ部３２の端となる位置に行うことによって、セグメントコイル２０の精度のよい成形およびコイルエンドの精度のよい成形を行うことができるという効果を奏する。
【００３１】
次に、図１０、図１１を参照して本発明の他の実施形態について説明する。先に図１から図７を参照して説明した部分と同様の部分には同様の符号を付して説明は省略する。本実施形態では、先に図１から図７を参照して説明した実施形態においては、図４に示すように、集合導線５０の矩形断面の長辺方向に向かって一方向溶接したものを、短辺方向に向かって一方向溶接するようにしたものである。本実施形態の場合、図５に示す一つの溶接位置（２１ａ〜２１ｋ）において図１１に示すように、スポット溶接５７を３回することが必要となるが、一方向溶接の深さが浅く、簡単に溶接固定を行うことができる。本実施形態の効果は、先に説明した実施形態と同様である。
【００３２】
以上説明した各実施形態では、曲げ部２２，３２の端部をスポット溶接５４，５７，全周溶接５６などによって溶接することとして説明したが、溶接は曲げ部の端に限らず、曲げ部の端から伸びる直線部分を溶接することとしてもよい。この場合、曲げ加工によって直線部分に発生するせん断力を抑制し、直線部分の各導体素線２５ａ〜２５ｄ，２６ａ〜２６ｄの剥がれを抑制することができる。
【００３３】
また、以上説明した実施形態では、集合導線５０を成形してセグメントコイル２０とする場合について、説明したが、本発明の集合導線５０は、セグメントコイル２０に用いられるのみでなく、たとえば、波型のコイルの成形に用いることとしてもよい。この場合は、波形コイルの曲げ部の端となる位置の各導体素線２５ａ〜２５ｄ，２６ａ〜２６をスポット溶接５４，５７，全周溶接５６によって固定するようにすればよい。
【符号の説明】
【００３４】
１０  ステータ、１１  ステータコア、１２  スロット、１３  ティース、１５  内周壁、２０  セグメントコイル、２１ａ〜２１ｋ  位置、２２，３２  曲げ部、２５ａ〜２５ｄ，２６ａ〜２６ｄ  導体素線、５０  集合導線、５１  銅素線、５２  絶縁皮膜、５３  接着剤または結着層、５４，５７  スポット溶接、５５  樹脂層、５６  全周溶接、６０  矢印、７０  治具、７１  中心線、１００  モータ。
【図１】
2013236523.tif 000003
【図２】
2013236523.tif 000004
【図３】
2013236523.tif 000005
【図４】
2013236523.tif 000006
【図５】
2013236523.tif 000007
【図６】
2013236523.tif 000008
【図７】
2013236523.tif 000009
【図８】
2013236523.tif 000010
【図９】
2013236523.tif 000011
【図１０】
2013236523.tif 000012
【図１１】
2013236523.tif 000013